(57)【要約】【課題】  隣接する板ガラスを支持するための支持部材が、板ガラスの外側に露出するのを極力抑制しながら、しかも、隣接する板ガラスどうしを確実に支持することのできる板ガラスの支持構造の提供。【解決手段】  建物３に保持された複数枚の板ガラス１が、それらの板面を同一面上に並設させた状態で支持されている板ガラスの支持構造であって、板ガラス１を支持するための溝４が、互いに隣接する板ガラス１の隣接側の端面１ａに沿って形成され、その板ガラス端面１ａの溝４に長尺状の支持部材５が嵌入されて、隣接する両板ガラス１が互いに連設されている。【選択図】        図２
2006104759.tif 000002
【特許請求の範囲】
【請求項１】
建物に保持された複数枚の板ガラスが、それらの板面を同一面上に並設させた状態で支持されている板ガラスの支持構造であって、
前記板ガラスを支持するための溝が、互いに隣接する板ガラスの隣接側の端面に沿って形成され、その板ガラス端面の溝に長尺状の支持部材が嵌入されて、前記隣接する両板ガラスが互いに連設されている板ガラスの支持構造。
【請求項２】
前記隣接する両板ガラスの隣接側の端面のそれぞれに前記溝が形成されて、その隣接する両板ガラス端面の前記溝間に跨って前記支持部材が嵌入されている請求項１に記載の板ガラスの支持構造。
【請求項３】
前記隣接する両板ガラスの板面に沿った方向に弾性変形可能な弾性係止部材が、その隣接する両板ガラス端面の前記溝間に跨って圧縮状態で嵌入されている請求項２に記載の板ガラスの支持構造。
【請求項４】
前記弾性係止部材が、前記支持部材の長手方向視において中空部を有し、その中空部内に前記支持部材が挿通されている請求項３に記載の板ガラスの支持構造。
【請求項５】
前記支持部材が、ワイヤである請求項２〜４のいずれか１項に記載の板ガラスの支持構造。
【請求項６】
前記板ガラスが、上下方向と横方向にそれぞれ複数列ずつ配置され、前記支持部材が、その板ガラスの上下方向列そして／または横方向列に沿って配置されている請求項１〜５のいずれか１項に記載の板ガラスの支持構造。
【発明の詳細な説明】
【技術分野】
【０００１】
本発明は、例えば、多数枚の板ガラスが並設されている建物のガラス窓のように、建物に保持された複数枚の板ガラスが、それらの板面を同一面上に並設させた状態で支持されている板ガラスの支持構造に関する。
【背景技術】
【０００２】
このような板ガラスの支持構造では、建物のガラス窓を例にとると、アルミ製のサッシュを使用し、複数枚の板ガラスを同一面上に並設させた状態で、互いに隣接する板ガラスをアルミ製サッシュの支持枠により支持する構成がきわめて一般的である。
また、比較的特殊な用途に使用するものではあるが、互いに隣接する板ガラスどうしをステンレス製の接合板や接着剤を含侵させたシートなどを使用して連設する構成も知られている（例えば、特許文献１参照）。
【０００３】
【特許文献１】特開２００２−１５５９０９号公報
【発明の開示】
【発明が解決しようとする課題】
【０００４】
しかしながら、アルミ製のサッシュを使用するものでは、隣接する板ガラスの端面をそれぞれアルミ製サッシュの支持枠に内嵌して支持する構成であるため、隣接する板ガラスの端面に沿ってその外側に比較的幅の広いアルミ製の支持枠が露出することになり、その支持枠が外観的にかなり目障りな存在となる。
同様に、上記特許文献に記載の構成においても、ステンレス製の接合板が板ガラスの外側に完全に露出するために目障りとなり、外観を損ねるという欠点がある。
【０００５】
本発明は、このような従来の問題点に着目したもので、その目的は、隣接する板ガラスを支持するための支持部材が、板ガラスの外側に露出するのを極力抑制しながら、しかも、隣接する板ガラスどうしを確実に支持することのできる板ガラスの支持構造を提供することにある。
【課題を解決するための手段】
【０００６】
本発明の第１の特徴構成は、建物に保持された複数枚の板ガラスが、それらの板面を同一面上に並設させた状態で支持されている板ガラスの支持構造であって、前記板ガラスを支持するための溝が、互いに隣接する板ガラスの隣接側の端面に沿って形成され、その板ガラス端面の溝に長尺状の支持部材が嵌入されて、前記隣接する両板ガラスが互いに連設されているところにある。
【０００７】
本発明の第１の特徴構成によれば、板ガラスを支持するための溝が、互いに隣接する板ガラスの隣接側の端面に沿って形成され、その板ガラス端面の溝に長尺状の支持部材が嵌入されて、隣接する両板ガラスが互いに連設されているので、少なくとも隣接する両板ガラスの一方の端面においては、その外側に支持部材が露出することはない。
すなわち、互いに隣接する板ガラスの隣接側の端面において、少なくとも一方の板ガラスの端面に溝を形成し、その溝に長尺状の支持部材を嵌入して支持することにより、少なくとも溝を形成した側の板ガラス端面の外側には支持部材が露出することはない。
したがって、たとえ他方の板ガラスの端面を支持部材に内嵌して支持したとしても、外側に露出する支持部材の幅は、従来のサッシュを使用するものに比べておよそ半分程度に抑えることができるので、外観上での美観の向上を図ることができ、しかも、板ガラスの端面に形成した溝とその溝に嵌入する支持部材によって、互いに隣接する板ガラスどうしを確実に支持することができる。
【０００８】
本発明の第２の特徴構成は、前記隣接する両板ガラスの隣接側の端面のそれぞれに前記溝が形成されて、その隣接する両板ガラス端面の前記溝間に跨って前記支持部材が嵌入されているところにある。
【０００９】
本発明の第２の特徴構成によれば、隣接する両板ガラスの隣接側の端面のそれぞれに前記溝が形成されて、その隣接する両板ガラス端面の溝間に跨って支持部材が嵌入されているので、隣接する両板ガラス端面の外側に支持部材を露出させることなく、隣接する両板ガラスどうしを確実に支持することも可能となる。
【００１０】
本発明の第３の特徴構成は、前記隣接する両板ガラスの板面に沿った方向に弾性変形可能な弾性係止部材が、その隣接する両板ガラス端面の前記溝間に跨って圧縮状態で嵌入されているところにある。
【００１１】
本発明の第３の特徴構成によれば、隣接する両板ガラスの板面に沿った方向に弾性変形可能な弾性係止部材が、その隣接する両板ガラス端面の溝間に跨って圧縮状態で嵌入されているので、両板ガラスは、その端面どうしが互いに遠ざかる方向へ弾性的に押圧されて建物に保持されることになる。
すなわち、各板ガラスは、建物側に弾性的に押圧されて保持されるので、各板ガラス間にガタツキのない状態で建物側にしっかりと保持されるとともに、例えば、一方の板ガラスが損傷して取り替える必要が生じた場合には、その弾性係止部材を更に圧縮することによって、支持部材を取り外すことなく板ガラスのみを外すことができるので、板ガラスの取り替えを容易に行うことができる。
【００１２】
本発明の第４の特徴構成は、前記弾性係止部材が、前記支持部材の長手方向視において中空部を有し、その中空部内に前記支持部材が挿通されているところにある。
【００１３】
本発明の第４の特徴構成によれば、弾性係止部材が、支持部材の長手方向視において中空部を有し、その中空部内に支持部材が挿通されているので、たとえ板ガラスの端面に形成される溝が比較的幅の狭い溝であっても、長尺状の支持部材と弾性係止部材とを溝内に要領よく嵌入して、隣接する板ガラスどうしの支持とガタツキ防止を確実に実現することができる。
【００１４】
本発明の第５の特徴構成は、前記支持部材が、ワイヤであるところにある。
【００１５】
本発明の第５の特徴構成によれば、支持部材が、ワイヤであるから、例えば、ロッドのような棒状体に比べて断面積を小さくすることができるので、たとえ幅の狭い溝であっても、ワイヤからなる支持部材を容易に溝内に嵌入させることができる。
そして、そのワイヤを適度な張力を有するように引っ張った状態で建物側に固定することにより、たとえ断面積の小さな細いワイヤであっても、隣接する両板ガラスを所望どおりに確実に支持することができる。
【００１６】
本発明の第６の特徴構成は、前記板ガラスが、上下方向と横方向にそれぞれ複数列ずつ配置され、前記支持部材が、その板ガラスの上下方向列そして／または横方向列に沿って配置されているところにある。
【００１７】
本発明の第６の特徴構成によれば、板ガラスが、上下方向と横方向にそれぞれ複数列ずつ配置され、支持部材が、その板ガラスの上下方向列そして／または横方向列に沿って配置されているので、板ガラスの厚みや枚数、さらには、使用環境などを考慮して、支持部材を上下方向列のみ、または、横方向列のみに沿って配置したり、上下方向列と横方向列とに沿って配置することにより、それぞれの状況に応じて多数枚の板ガラスからなる広い面積のガラス面を形成することができる。
【発明を実施するための最良の形態】
【００１８】
本発明による板ガラスの支持構造につき、その実施の形態を図面に基づいて説明する。
この板ガラスの支持構造は、例えば、多数枚の板ガラスからなる建物のガラス窓において実施されるもので、図１に示すように、多数枚の板ガラス１からなるガラス窓全体は、例えば、アルミ製のサッシュ２により支持されて建物３にしっかりと保持されている。
この実施形態では、各板ガラス１は、同じ大きさの正方形または長方形の矩形に形成されるとともに、同じ厚みを有していて、それらの板面を上下方向に向けて、同一面上に並設させた状態で、上下方向と横方向にそれぞれ複数列ずつ配置されている。
【００１９】
これら多数枚の板ガラス１において、互いに隣接する板ガラス１の隣接側の端面１ａには、図２〜図４に示すように、板ガラス１を支持するためのほぼ半円形の溝４が、その隣接側の端面１ａに沿ってそれぞれ形成され、隣接する両板ガラス１を同一面上に並設させた状態で、それら両溝４が互いに対向するように構成されている。
一方、サッシュ２には、長尺状の支持部材の一例である金属製あるいは合成樹脂製などのワイヤ５が、適度な張力を有する状態で上下方向と横方向に沿って格子状に張設されて、各ワイヤ５の両端がサッシュ２にしっかりと固定され、各板ガラス１がワイヤ５を介してサッシュ２に保持されている。
【００２０】
すなわち、図３に示すように、サッシュ２に張設されたワイヤ５が、互いに隣接する両板ガラス１の端面１ａに形成された溝４間に跨って嵌入されて、隣接する板ガラス１どうしが、そのワイヤ５を介して互いに連設されてサッシュ２に保持されている。
さらに、図４に示すように、金属製のばね材からなる弾性係止部材６が、隣接する両板ガラス１の端面１ａに形成された溝４間に跨って圧縮状態で嵌入されている。
この弾性係止部材６は、断面形状がほぼ楕円形で、隣接する両板ガラス１の板面に沿った方向に弾性変形可能であり、このような弾性係止部材６が、隣接する両板ガラス１の板面に沿った方向に圧縮されて両溝４間に跨って嵌入されている。
【００２１】
この弾性係止部材６は、ワイヤ５の長手方向視において中空部６ａを有し、その中空部６ａ内にワイヤ５が挿通配置され、各板ガラス１の大きさなどに応じて、板ガラス１の端面１ａに沿って１個だけ、あるいは、２個以上配置される。
そして、隣接する板ガラス１の端面１ａ間には、必要に応じて、弾性シートもしくはシーリング材７が介在され、さらに、隣接する両板ガラス１の溝４とワイヤ５の間には、接着材や樹脂などの充填材、あるいは、気泡入りポリエチレンなどのバックアップ材８が充填されている。
【００２２】
〔別実施形態〕
（１）先の実施形態では、長尺状の支持部材の一例としてワイヤ５を示したが、支持部材は特にワイヤ５に限るものではなく、ワイヤ５に代えて金属製あるいは合成樹脂製などのロッドを支持部材として使用することもでき、その場合には、上下方向に配置したロッドと横方向に配置したロッドとの交点において、両ロッドを互いに固着するのが望ましい。
また、先の実施形態では、ワイヤからなる支持部材５を隣接する両板ガラス１の端面１ａに形成された溝４間に跨って嵌入した例を示したが、両板ガラス１のうちの一方の端面１ａのみに溝４を形成して実施することもでき、その例を示したのが図５である。
【００２３】
この図５に示す別の実施形態では、長尺状の支持部材９が、金属製のロッド９ａと断面コの字状の金属製の枠体９ｂを備えていて、ロッド９ａと枠体９ｂが、その長手方向に互いに固着されて一体化されて構成されている。
そして、隣接する両板ガラス１のうち、一方の板ガラス１の端面１ａのみに溝４が形成され、その溝４内に支持部材９のロッド９ａが嵌入されるとともに、他方の板ガラス１の端面１ａが、支持部材９の枠体９ｂに内嵌されて、隣接する両板ガラス１が互いに連設支持され、必要に応じて、適宜箇所には弾性シートもしくはシーリング材７が介在され、かつ、充填材もしくはバックアップ材８が充填されている。
【００２４】
（２）先の実施形態では、板ガラス１を上下方向と横方向にそれぞれ複数列ずつ配置して、その板ガラス１の上下方向列と横方向列に沿って長尺状の支持部材５，９を配置した例を示したが、使用する板ガラス１の枚数や使用環境などを考慮して、例えば、板ガラス１の上下方向列のみに沿って支持部材５，９を配置することも、また、横方向列のみに沿って支持部材５，９を配置することも可能である。
【図面の簡単な説明】
【００２５】
【図１】板ガラスの支持構造を使用したガラス窓の一部切欠き正面図
【図２】板ガラスの支持構造の分解斜視図
【図３】板ガラスの支持構造の要部断面図
【図４】板ガラスの支持構造の要部断面図
【図５】別の実施形態による板ガラスの支持構造の要部断面図
【符号の説明】
【００２６】
１      板ガラス
１ａ    板ガラスの隣接側の端面
３      建物
４      溝
５      長尺状の支持部材としてのワイヤ
６      弾性係止部材
６ａ    弾性係止部材の中空部
７      弾性シートもしくはシーリング材
８      バックアップ材
９      長尺状の支持部材
【図１】
2006104759.tif 000003
【図２】
2006104759.tif 000004
【図３】
2006104759.tif 000005
【図４】
2006104759.tif 000006
【図５】
2006104759.tif 000007